(57)【要約】  本発明は、リンクプレートチェーン、特に自動車の無段式の変速伝動装置用のリンクプレートチェーンであって、複数のチェーンリンクを備え、チェーンリンクが、少なくとも２種の互いに異なるリンクプレートピッチを有する、ロッカーピンペアにより連結された複数のリンクプレートを含む、リンクプレートチェーンに関する。本発明は、リンクプレート内側輪郭の内部に設けられた吸振室内で、２つのロッカーピンペアの間に少なくとも１つの吸振質量体が配置されていることにより優れている。
2018527530.tif 000002
【特許請求の範囲】
【請求項１】
リンクプレートチェーン（１；２１；１０１）、特に自動車の無段式の変速伝動装置用のリンクプレートチェーン（１；２１；１０１）であって、複数のチェーンリンクを備え、該チェーンリンクが、少なくとも２種の互いに異なるリンクプレートピッチを有する、ロッカーピンペア（８，９；２８，２９）により連結された複数のリンクプレート（３〜５；２３〜２５）を含む、リンクプレートチェーン（１；２１；１０１）において、リンクプレート内側輪郭（４９，５９）の内部に設けられた吸振室（５０；６０）内で、２つのロッカーピンペア（８，９；２８，２９）の間に少なくとも１つの吸振質量体（６１〜７１；８１〜９１）が配置されていることを特徴とする、リンクプレートチェーン（１；２１；１０１）。
【請求項２】
前記吸振質量体（６１〜７１；８１〜９１）が、前記リンクプレート内側輪郭（４９；５９）の内部で、チェーン長手方向に対して横方向の規定された遊びを持って、２つのロッカーピンペア（８，９；２８，２９）の間に配置されており、前記吸振質量体（６１〜７１；８１〜９１）が、当該リンクプレートチェーン（１；２１；１０１）の作動中に、チェーン長手方向に対して横方向に吸振運動を実施するようになっていることを特徴とする、請求項１記載のリンクプレートチェーン。
【請求項３】
横方向における前記規定された遊びが、当該リンクプレートチェーン（１；２１；１０１）の前記リンクプレート（３〜５；２３〜２５）にわたって変化していることを特徴とする、請求項２記載のリンクプレートチェーン。
【請求項４】
前記吸振質量体（６１〜７１；８１〜９１）が、前記吸振室（５０；６０）内に、紛失しないように配置されていることを特徴とする、請求項１から３までのいずれか１項記載のリンクプレートチェーン。
【請求項５】
前記吸振質量体（６１〜７１；８１〜９１）が、デュアルリンクプレート（１０４〜１０７）内に配置されていることを特徴とする、請求項１から４までのいずれか１項記載のリンクプレートチェーン。
【請求項６】
前記吸振質量体（６１〜７１）が、前記リンクプレート（３〜５；２３〜２５）とほぼ同じ厚さに形成されているか、または前記リンクプレートよりも厚く形成されていることを特徴とする、請求項１から５までのいずれか１項記載のリンクプレートチェーン。
【請求項７】
前記吸振質量体（６１〜７１；８１〜９１）が、ディスク形に形成されていることを特徴とする、請求項１から６までのいずれか１項記載のリンクプレートチェーン。
【請求項８】
前記吸振質量体（６１〜７１；８１〜９１）が、円形、楕円形、球形、球に類似した形状、または丸められた頂点を有する多角形に形成されていることを特徴とする、請求項１から７までのいずれか１項記載のリンクプレートチェーン。
【請求項９】
前記吸振室（５０；６０）内に、複数の吸振質量体（６１〜７１；８１〜９１）が配置されていることを特徴とする、請求項１から８までのいずれか１項記載のリンクプレートチェーン。
【請求項１０】
リンクプレートピッチ（１１１）に対する前記吸振質量体（６１〜７１；８１〜９１）の高さ（１１３）および幅（１１２）の総和の比が、少なくとも０.５でかつ最大でも１.５であることを特徴とする、請求項１から９までのいずれか１項記載のリンクプレートチェーン。
【発明の詳細な説明】
【技術分野】
【０００１】
本発明は、リンクプレートチェーン、特に自動車の無段式の変速伝動装置用のリンクプレートチェーンであって、複数のチェーンリンクを備え、該チェーンリンクが、少なくとも２種の互いに異なるリンクプレートピッチを有する、ロッカーピンペアにより連結された複数のリンクプレートを含む、リンクプレートチェーンに関する。
【背景技術】
【０００２】
独国特許出願公開第１９９５１９４９号明細書に基づき、ロッカーピンを介して互いに枢着式に結合された複数のチェーンリンクプレートを備えたリンクプレートチェーンが公知である。ロッカーピンは、チェーンの長手方向に対して直交する方向に延びており、この場合、リンクプレートチェーンは、リンクプレートチェーンの走行方向に対して横方向での少なくとも１つの方向におけるリンクプレートチェーンの変位が、チェーン特定区分の振動（Trumschwingungen）を減衰させるために抵抗をかけられるように構成されている。独国特許出願公開第１０２０１３２２２９２５号明細書に基づき、大小異なる長さのチェーンリンクを備えた、特に自動車の無段式の変速伝動装置用のリンクプレートチェーンが公知である。これらのチェーンリンクは、ロッカーピンペアにより連結された長尺型のリンクプレートと短尺型のリンクプレートとを含み、長尺型のリンクプレートと短尺型のリンクプレートとの間には、間隙が設けられていて、これらの間隙内には中間エレメントが配置されている。
【発明の概要】
【発明が解決しようとする課題】
【０００３】
本発明の課題は、リンクプレートチェーン、特に自動車の無段式の変速伝動装置用のリンクプレートチェーンであって、複数のチェーンリンクを備え、チェーンリンクが、少なくとも２種の互いに異なるリンクプレートピッチを有する、ロッカーピンペアにより連結された複数のリンクプレートを含む、リンクプレートチェーンを、特にその寿命の点で、かつ／またはリンクプレートチェーンの作動時における望ましくないチェーン特定区分の振動の点で、改善することである。
【課題を解決するための手段】
【０００４】
上記課題は、リンクプレートチェーン、特に自動車の無段式の変速伝動装置用のリンクプレートチェーンであって、複数のチェーンリンクを備え、チェーンリンクが、少なくとも２種の互いに異なるリンクプレートピッチを有する、ロッカーピンペアにより連結された複数のリンクプレートを含む、リンクプレートチェーンにおいて、リンクプレート内側輪郭の内部に設けられた吸振室内で、２つのロッカーピンペアの間に少なくとも１つの吸振質量体が配置されていることによって解決される。リンクプレートピッチは、チェーン長手方向におけるリンクプレート内側輪郭内部の２つのロッカーピンペアの間の間隔に相当している。互いに異なるリンクプレートピッチを有するリンクプレートは、「長尺型のリンクプレート」または「短尺型のリンクプレート」とも呼ばれる。リンクプレートチェーンの作動中にチェーン特定区分の振動が生じると、この振動はリンクプレートチェーンの作動中に望ましくないノイズ発生を招く。さらに、リンクプレートチェーンは、望ましくないチェーン特定区分の振動によって一層著しく負荷され、このことは、リンクプレートチェーンの寿命に不都合な影響を与える。本発明の重要な観点によれば、リンクプレートの内側輪郭内部に存在する空間（吸振室と呼ぶ）を利用して、この吸振室内に少なくとも１つのパッシブな吸振質量体を、遊びを持って配置することが提案される。吸振質量体は、吸振室内で、制限された範囲内で自由に運動することができ、特にチェーン長手方向に対して直交する方向に運動することができる。これにより、望ましくないチェーン特定区分の振動を著しく減少させることができる。これにより、作動時のチェーンの音響的な特性が改善される。さらに、リンクプレートチェーンの寿命が延長される。吸振質量体は、リンクプレート内側輪郭の内部に設けられた吸振室内で、２つのロッカーピンペアの間でリンクプレートチェーンのあらゆる場所に組み込むことができる。好ましくは、複数の吸振質量体が、リンクプレートチェーンに設けられた対応する複数の吸振室内に組み込まれる。リンクプレートチェーンの外側のリンクプレートには、好ましくは吸振質量体が組み込まれない。なぜならば、外側のリンクプレートでは吸振質量体が脱落するおそれがあるからである。しかし、外側のリンクプレートからの脱落は、場合によっては、相応する処置または手段によって阻止することができる。
【０００５】
リンクプレートチェーンの好適な実施態様は、吸振質量体が、リンクプレート内側輪郭の内部で、チェーン長手方向に対して横方向の規定された遊びを持って、２つのロッカーピンペアの間に配置されており、吸振質量体が、リンクプレートチェーンの作動中に、チェーン長手方向に対して横方向に吸振運動を実施するようになっていることにより特徴付けられる。吸振室内の吸振質量体の、規定された遊びは、好ましくは、リンクプレートチェーンの作動中の吸振質量体の吸振運動が、遅延されてリンクプレートチェーンのチェーン特定区分の運動に追従するように吸振質量体によって調整されている。「横方向（transversal）」とは、チェーン長手方向に対して直交する方向をも意味する。
【０００６】
リンクプレートチェーンの別の好適な実施形態は、横方向における規定された遊びが、リンクプレートチェーンのリンクプレートにわたって変化していることにより特徴付けられる。これにより、吸振質量体の効率を一層改善することができる。
【０００７】
リンクプレートチェーンのさらに別の好適な実施形態は、吸振質量体が、吸振室内に、紛失しないように配置されていることにより特徴付けられる。吸振室は、有利には、吸振質量体の脱落が阻止されるように形成されていてよい。吸振質量体を吸振室内に、紛失しないように保持するために、代替的にまたは付加的に、保持手段、たとえばケージを使用することができる。
【０００８】
リンクプレートチェーンのさらに別の好適な実施形態は、吸振質量体が、デュアルリンクプレート内に配置されていることにより特徴付けられる。デュアルリンクプレートは、チェーン長手方向に対して直交する方向に相並んで配置された２つのリンクプレートを含む。したがって、デュアルリンクプレートは、１つのリンクプレートの２倍の厚さを有する。このことは、吸振質量体が１つのリンクプレートの少なくとも２倍の厚さに形成されていてよいという利点を提供する。個別リンクプレートと組み合わせて、リンクプレートチェーンにおける相応する配置によって、デュアルリンクプレート内の吸振室からの吸振質量体の脱落を簡単に阻止することができる。
【０００９】
リンクプレートチェーンのさらに別の好適な実施形態は、吸振質量体が、リンクプレートとほぼ同じ厚さに形成されているか、またはリンクプレートよりも厚く形成されていることにより特徴付けられる。「厚さ」とは、リンクプレートチェーンのチェーン区分平面に対して直交する方向でのリンクプレートの寸法を意味する。
【００１０】
リンクプレートチェーンのさらに別の好適な実施形態は、吸振質量体が、ディスク形に形成されていることにより特徴付けられる。吸振質量体は、たとえば実質的に、丸められた頂点を有する方形の形状を有する。
【００１１】
リンクプレートチェーンのさらに別の好適な実施形態は、吸振質量体が、円形、楕円形、球形（kugelfoermig）、球に類似した形状（kugelig）、または丸められた頂点を有する多角形に形成されていることにより特徴付けられる。この構成は、本発明の枠内で実施された実験および検査において、有利であることが判明している。
【００１２】
リンクプレートチェーンのさらに別の好適な実施形態は、吸振室内に、複数の吸振質量体が配置されていることにより特徴付けられる。これらの吸振質量体は、好ましくは、吸振運動を実施するために必要とされる遊びは別として、吸振質量体が吸振室を実質的に満たすような大きさに形成されており、吸振室内に配置されている。
【００１３】
リンクプレートチェーンのさらに別の好適な実施形態は、リンクプレートピッチに対する吸振質量体の高さおよび幅の総和の比が、少なくとも０.５でかつ最大でも１.５であることにより特徴付けられる。「高さ」とは、チェーン長手方向に対して直交する方向における吸振質量体の寸法を意味する。「幅」とは、チェーン長手方向における吸振質量体の寸法を意味する。
【００１４】
本発明は、場合によっては、前で説明したリンクプレートチェーン用の吸振質量体にも関する。吸振質量体は、別個に取扱い可能である。
【００１５】
本発明は、さらに、前で説明したリンクプレートチェーンを備えた円錐形プーリ式巻掛け伝動装置に関する。円錐形プーリ式巻掛け伝動装置は、好ましくは、いわゆるＣＶＴ伝動装置である。ＣＶＴ伝動装置において、リンクプレートチェーンは、２つの円錐形プーリセットを、駆動力が伝達されるように互いに結合するために使用される。文字「ＣＶＴ」は、英語の「Continuously Variable Transmission」を表し、ＣＶＴ伝動装置の変速比が無段階に調節可能であることを意味する。リンクプレートチェーンは、円錐形プーリ式巻掛け伝動装置内で、少なくとも部分的に、潤滑媒体、たとえばオイルによって取り囲まれている。潤滑媒体によって、リンクプレートチェーンの中間エレメントと、隣接したエレメントとの間には、潤滑媒体膜またはオイル膜が生じる。
【００１６】
本発明の別の利点、特徴および詳細は、以下に図面につき説明する種々の実施形態から明らかとなる。
【図面の簡単な説明】
【００１７】
【図１】３つの短尺型のリンクプレートを備えたリンクプレートチェーンの１区分を示す図である。
【図２】１つの短尺型のリンクプレートと２つの長尺型のリンクプレートとを備えたリンクプレートチェーンの１区分を示す図である。
【図３】図１に示した短尺型のリンクプレートのうちの１つを単独で示す平面図である。
【図４】図２に示した長尺型のリンクプレートのうちの１つを単独で示す平面図である。
【図５】図３に示したような短尺型のリンクプレートにおいて使用するための吸振質量体の種々の実施形態を示す斜視図である。
【図６】図４に示したような長尺型のリンクプレートにおいて使用するための吸振質量体の種々の実施形態を示す斜視図である。
【図７】デュアルリンクプレートを備えたトリプル配列型のリンクプレートチェーンの１区分を示す図である。
【図８】リンクプレートピッチおよびリンクプレートの寸法を説明するための、図３と同様の平面図である。
【発明を実施するための形態】
【００１８】
図１には、リンクプレート３，４，５を備えたリンクプレートチェーン１の一区分が平面図で図示されている。リンクプレート３，４，５を互いに結合するとともに、リンクプレートチェーン１の別の（図面には見えていないか、または図示されていない）リンクプレートに結合するために、ロッカーピンペア８，９が使用される。各ロッカーピンペア８，９は、２つのロッカーピンを含み、かつ１つのロッカージョイントを形成するために使用される。
【００１９】
リンクプレートチェーン１は、原理的には、独国特許出願公開第１９０４７９７９号明細書に記載のリンクプレートチェーンと同様に、またはこれに類似して構成されていてよい。リンクプレートチェーン１は、やはり上記独国特許出願公開明細書に開示されているような、無段式の円錐形プーリ式巻掛け伝動装置において使用される。
【００２０】
図１に示したリンクプレートチェーン１は、同一のリンクプレートチェーンピッチを有するリンクプレート３，４，５しか含んでいない。したがって、このリンクプレートチェーン１は、単ピッチチェーンまたは等ピッチチェーンとも呼ばれる。リンクプレート３，４，５は、好ましくは、いわゆる短尺型のリンクプレートである。短尺型のリンクプレートは、「ａ型リンクプレート」とも呼ばれる。矢印１１によって、リンクプレートチェーン１の走行半径が示されている。二重矢印１４，１５によって、リンクプレートチェーン１の屈曲角度が示されている。
【００２１】
図２には、リンクプレート２３，２４，２５を備えたリンクプレートチェーン２１の一区分が平面図で図示されている。リンクプレート２３，２４，２５を互いに結合するとともに、リンクプレートチェーン２１の別の（図面には見えていないか、または図示されていない）リンクプレートに結合するために、ロッカーピンペア２８，２９が使用される。各ロッカーピンペア２８，２９は、２つのロッカーピンを含み、かつ１つのロッカージョイントを形成するために使用される。
【００２２】
リンクプレートチェーン２１は、原理的には、独国特許出願公開第１９０４７９７９号明細書に記載のリンクプレートチェーンと同様に、またはこれに類似して構成されていてよい。リンクプレートチェーン２１は、やはり上記独国特許出願公開明細書に開示されているような、無段式の円錐形プーリ式巻掛け伝動装置において使用される。
【００２３】
リンクプレート２３は、図１に示したリンクプレートチェーン１においても使用されるような短尺型のリンクプレートまたはａ型リンクプレートである。リンクプレート２４，２５は、長尺型のリンクプレートであり、長尺型のリンクプレートは、「ｂ型リンクプレート」とも呼ばれる。すなわち、リンクプレートチェーン２１には、互いに異なるリンクプレートピッチを有するリンクプレートが含まれている。長尺型のリンクプレート２４，２５は、短尺型のリンクプレート２３よりも大きなリンクプレートピッチを有する。
【００２４】
矢印３１によって、リンクプレートチェーン２１の走行半径が示されている。二重矢印３４，３５によって、リンクプレートチェーン２１の屈曲角度が示されている。
【００２５】
図３に単独で図示されている短尺型のリンクプレート４は、左側のリンクプレート側方枠辺部４２と、右側のリンクプレート側方枠辺部４３とを有している。左右のリンクプレート側方枠辺部４２，４３は、上方では、上側のリンクプレート枠辺部４４によって互いに一体に結合されている。下方では、両リンクプレート側方枠辺部４２，４３は、下側のリンクプレート枠辺部４５によって互いに結合されている。
【００２６】
「ショートリンクプレート」とも呼ばれる短尺型のリンクプレート４は、内側輪郭４９を有する開口４８を有する。内側輪郭４９を有する開口４８は、両ロッカーピンペア８，９を収容するために使用される。内側輪郭４９内部で両ロッカーピンペア８，９の間には、自由室５０が設けられており、この自由室５０は、少なくとも１つの吸振質量体（図３には図示されていない）を収容するために使用される。したがって、この自由室は、吸振室５０とも呼ばれる。
【００２７】
図４に単独で図示されている長尺型のリンクプレート２４は、左側のリンクプレート側方枠辺部５２と、右側のリンクプレート側方枠辺部５３とを有している。両リンクプレート側方枠辺部５２，５３は、上方では、上側のリンクプレート枠辺部５４によって互いに一体に結合されている。下方では、両リンクプレート側方枠辺部５２，５３は、下側のリンクプレート枠辺部５５によって互いに結合されている。
【００２８】
「ロングリンクプレート」とも呼ばれる長尺型のリンクプレート２４は、内側輪郭５９を有する開口５８を有する。内側輪郭５９を有する開口５８は、両ロッカーピンペア２８，２９を収容するために使用される。内側輪郭５９内部で両ロッカーピンペア２８，２９の間には、自由室６０が設けられており、この自由室６０は、少なくとも１つの吸振質量体（図４には図示されていない）を収容するために使用される。したがって、この自由室は、吸振室６０とも呼ばれる。
【００２９】
図５には、吸振質量体６１〜７１の種々の実施形態が斜視図で図示されている。吸振質量体６１〜７１は、図３に示した短尺型のリンクプレート４の吸振室５０内に配置するために規定されている。吸振質量体６１〜７１は、実質的にディスク状に形成されていて、図３に示したリンクプレート４とほぼ同じ厚さを有している。
【００３０】
取付け個所に応じて、吸振質量体６１〜７１は、図３に示したリンクプレート４よりも大きな厚さを有していてもよい。吸振質量体６１〜７１の、このような大きな厚さは、特に、リンクプレートチェーンの作動中における吸振室５０からの吸振質量体の望ましくない脱落を阻止するために役立つ。
【００３１】
吸振質量体６１は、実質的に、丸められた頂点を有する菱形の形状を有する。吸振質量体６２は、実質的に、丸められた頂点を有する星形の形状を有する。吸振質量体６３は、実質的に、方形体の短辺に半楕円形の延長部を有する方形の形状を有する。
【００３２】
吸振質量体６４は、実質的に、丸められた端部を有する方形の形状を有する。吸振質量体６５は、吸振質量体６３とほぼ同じ形状を有するが、しかし吸振質量体６３よりも短く形成されている。
【００３３】
吸振質量体６６，６７は、円形のディスクの形状を有しており、一緒になってリンクプレート４の吸振室５０内に配置される。吸振質量体６８は、円形ディスクの形状を有していて、単独でリンクプレート４の吸振室５０内に配置することができる。
【００３４】
吸振質量体６９〜７１は、球体の形状を有する。両吸振質量体６９，７０は、一緒になってリンクプレート４の吸振室５０内に配置することができる。球形の吸振質量体７１は、単独で吸振室５０内に配置される。
【００３５】
図６には、吸振質量体８１〜９１の種々の実施形態が斜視図で図示されている。吸振質量体８１〜９１は、図４に示した長尺型のリンクプレート２４の吸振室６０内に配置するために規定されている。吸振質量体８１〜９１は、実質的にディスク状に形成されており、図４に示したリンクプレート２４とほぼ同じ厚さを有している。
【００３６】
取付け個所に応じて、吸振質量体８１〜９１は、図４に示したリンクプレート２４よりも大きな厚さを有していてもよい。吸振質量体８１〜９１の、このような大きな厚さは、特に、リンクプレートチェーンの作動中における吸振室６０からの吸振質量体の望ましくない脱落を阻止するために役立つ。
【００３７】
吸振質量体８１は、実質的に、丸められた頂点を有する菱形の形状を有する。吸振質量体８２は、実質的に、丸められた頂点を有する星形の形状を有する。吸振質量体８３は、実質的に、方形体の短辺に半楕円形の延長部を有する方形の形状を有する。
【００３８】
吸振質量体８４は、実質的に、丸められた端部を有する方形の形状を有する。吸振質量体８５は、吸振質量体８３とほぼ同じ形状を有するが、しかし吸振質量体８３よりも短く形成されていて、頂点のところに、より大きな曲率半径を有する。
【００３９】
吸振質量体８６，８７は、円形のディスクの形状を有しており、一緒になってリンクプレート２４の吸振室６０内に配置される。吸振質量体８８は、円形ディスクの形状を有していて、単独でリンクプレート２４の吸振室６０内に配置することができる。
【００４０】
吸振質量体８９〜９１は、球体の形状を有する。両吸振質量体８９，９０は、一緒になってリンクプレート２４の吸振室６０内に配置することができる。球形の吸振質量体９１は、単独で吸振室６０内に配置される。
【００４１】
図７には、短尺型のリンクプレートと長尺型のリンクプレートとを備えた、いわゆる「トリプル構造（Trippelaufbau）」のリンクプレートチェーン１０１が図示されている。トリプル構造は、「３列反復配列型リンクプレートユニット（Dreilaschenverband）」とも呼ばれる。長尺型のリンクプレートまたはチェーンリンク、および短尺型のリンクプレートまたはチェーンリンクは、いわゆる「ランダム化」を可能にするために種々のピッチを有している。
【００４２】
リンクプレートチェーン１０１は、図示の区分に４つのデュアルリンクプレート１０４〜１０７を含む。これらのデュアルリンクプレート１０４〜１０７は、それぞれ２つの同一のリンクプレートを含む。デュアルリンクプレート１０４〜１０７は、図３および図４に符号５０，６０で示したような吸振室を有する。
【００４３】
デュアルリンクプレート１０４〜１０７の吸振室内には、個別リンクプレートの２倍の厚さの吸振質量体を取り付けることができる。これにより、各吸振室からの脱落または滑脱の危険が減少する。
【００４４】
図８には、図３に示した短尺型のリンクプレート４が、二重矢印１１１，１１２，１１３を用いて寸法比を説明するために図示されている。二重矢印１１１は、「ピッチ」とも呼ばれるリンクプレートピッチを表す。
【００４５】
二重矢印１１２は、ロッカーピンペア８，９の間の吸振質量体または吸振室の幅を表す。二重矢印１１３は、リンクプレート４の内側輪郭４９内部の吸振質量体または吸振室の高さを表す。
【００４６】
リンクプレート４のピッチ１１１に対する吸振質量体の幅１１２および高さ１１３の比が、０.５と１.５との間でしか変動しないことが望ましい。これらの値の場合には、本発明の枠内で実施された実験および検査において、最良の結果が得られた。
【００４７】
吸振室内に吸振質量体を配置することにより、特に減衰／吸振による音響的な利点を得ることができる。さらに、吸振室内の吸振質量体により、リンクプレートチェーンのチェーン強度を高めることができる。このことは、特に、リンクプレートにおけるガイドの一部および／またはいわゆる屈曲突端（Verknickzipfel）が不要となり得るという利点を提供する。
【００４８】
吸振質量体は、必要に応じて、慣用のスライドレールと一緒に組み込むこともできる。質量分布は、吸振質量体を用いて任意に変えることができる。吸振質量体は、有利にはリンクプレートチェーン内のいかなる個所にも組み込むことができる。
【符号の説明】
【００４９】
１  リンクプレートチェーン
３  リンクプレート
４  リンクプレート
５  リンクプレート
８  ロッカーピンペア
９  ロッカーピンペア
１１  矢印
１４  二重矢印
１５  二重矢印
２１  リンクプレートチェーン
２３  リンクプレート
２４  リンクプレート
２５  リンクプレート
２８  ロッカーピンペア
２９  ロッカーピンペア
３１  矢印
３４  二重矢印
３５  二重矢印
４２  左側のリンクプレート側方枠辺部
４３  右側のリンクプレート側方枠辺部
４４  上側のリンクプレート枠辺部
４５  下側のリンクプレート枠辺部
４８  開口
４９  内側輪郭
５０  吸振室
５２  左側のリンクプレート側方枠辺部
５３  右側のリンクプレート側方枠辺部
５４  上側のリンクプレート枠辺部
５５  下側のリンクプレート枠辺部
５８  開口
５９  内側輪郭
６０  吸振室
６１  吸振質量体
６２  吸振質量体
６３  吸振質量体
６４  吸振質量体
６５  吸振質量体
６６  吸振質量体
６７  吸振質量体
６８  吸振質量体
６９  吸振質量体
７０  吸振質量体
７１  吸振質量体
８１  吸振質量体
８２  吸振質量体
８３  吸振質量体
８４  吸振質量体
８５  吸振質量体
８６  吸振質量体
８７  吸振質量体
８８  吸振質量体
８９  吸振質量体
９０  吸振質量体
９１  吸振質量体
１０１  リンクプレートチェーン
１０４  デュアルリンクプレート
１０５  デュアルリンクプレート
１０６  デュアルリンクプレート
１０７  デュアルリンクプレート
１１１  二重矢印
１１２  二重矢印
１１３  二重矢印
【図１】
2018527530.tif 000003
【図２】
2018527530.tif 000004
【図３】
2018527530.tif 000005
【図４】
2018527530.tif 000006
【図５】
2018527530.tif 000007
【図６】
2018527530.tif 000008
【図７】
2018527530.tif 000009
【図８】
2018527530.tif 000010
【国際調査報告】
2018527530.tif 000011
2018527530.tif 000012
2018527530.tif 000013
2018527530.tif 000014